(57)【要約】セル中央の移動局の通信品質に応じて、セル中央しきい値を増減させる。例えば、セル中央の移動局の通信におけるブロック誤り率が高い場合には、セル中央しきい値を増加させて、セル中央の移動局が、より基地局に近い移動局に限られるようにする。
2008035661.tif 000002
【特許請求の範囲】
【請求項１】
少なくとも複数の基地局から構成される無線ネットワークと複数の移動局から構成されるセルラシステムのキャリア割当方法であって、
前記無線ネットワークが、移動局の各々を、その移動局が通信を行う基地局との間の伝搬損失と所定のセル中央しきい値とから、基地局の近傍に存在するセル中央移動局と基地局から離れた位置に存在するセル端移動局とに区分するステップと、
前記無線ネットワークが、前記セル中央移動局とは第一のキャリアを用いて通信を行い、前記セル端移動局とは第二のキャリアを用いて通信を行うステップと、
前記無線ネットワークが、前記第一のキャリアを用いた通信の品質を測定するステップと、
前記無線ネットワークが、前記通信の品質を用いて前記セル中央しきい値を変更するステップと
を有することを特徴とするセルラシステムのキャリア割当方法。
【請求項２】
少なくとも複数の基地局から構成される無線ネットワークと複数の移動局から構成されるセルラシステムのキャリア割当方法であって、
前記複数の基地局が、パイロット信号を送信するステップと、
前記移動局が、１つまたは複数の前記基地局が送信する前記パイロット信号を受信するステップと、
前記無線ネットワークが、前記パイロット信号の受信品質と所定のセル中央しきい値とから、前記移動局の各々を、基地局の近傍に存在するセル中央移動局と基地局から離れた位置に存在するセル端移動局とに区分するステップと、
前記無線ネットワークが、前記セル中央移動局とは第一のキャリアを用いて通信を行い、前記セル端移動局とは第二のキャリアを用いて通信を行うステップと、
前記無線ネットワークが、前記第一のキャリアを用いた通信の品質を測定するステップと、
前記無線ネットワークが、前記通信の品質を用いて前記セル中央しきい値を変更するステップと、
を有することを特徴とするセルラシステムのキャリア割当方法。
【請求項３】
少なくとも複数の基地局から構成される無線ネットワークと複数の移動局から構成されるセルラシステムにおいて、基地局の近傍に存在するセル中央移動局と基地局から離れた位置に存在するセル端移動局とで、通信に用いるキャリアを異ならせるキャリア割当方法において、
前記セル中央移動局と前記セル端移動局とに区分する為に用いられるセル中央しきい値を、前記セル中央移動局の通信の品質を用いて変更することを特徴とするキャリア割当方法。
【請求項４】
前記セルラシステムは、第一のキャリアが第二のキャリアに比べてより多くのセルで利用されるように、前記セルの各々に第一のキャリアと第二のキャリアとを配置することを特徴とする請求項１又は請求項２に記載のセルラシステムのキャリア割当方法。
【請求項５】
第二のキャリアは、符号多重によって複数の移動局が基地局と同時に通信できるようにすることを特徴とする請求項１、請求項２、又は請求項４のいずれかに記載のセルラシステムのキャリア割当方法。
【請求項６】
前記通信は、データブロックの送受信であり、
前記データブロックの受信側はデータブロックの送信側に送達確認を送信し、
前記送信側は、データブロックの送信に失敗すると、データブロックを再送し、
前記通信の品質は、データブロック再送の頻度、データブロックの平均再送回数、又はデータブロックの送信遅延時間である
ことを特徴とする請求項１から請求項５のいずれかに記載のセルラシステムのキャリア割当方法。
【請求項７】
前記セル中央しきい値は、セル毎に更新することを特徴とする請求項１から請求項６のいずれかに記載のセルラシステムのキャリア割当方法。
【請求項８】
前記無線ネットワークが前記通信の品質をセル毎に測定するステップと、
第一のセルのセル中央しきい値を、第二のセルの前記通信の品質を用いて更新するステップと、
を有することを特徴とする請求項７に記載のセルラシステムのキャリア割当方法。
【請求項９】
ある移動局において、１つまたは複数の基地局から受信した前記パイロット信号の受信品質レベルの中で最良のものと２番目のものの比が所定のセル中央しきい値より高いときには、その移動局をセル中央移動局と判定し、それ以外のときは、その移動局をセル端移動局と判定し、
データブロック再送の頻度、データブロックの平均再送回数またはデータブロックの送信遅延時間が、第一の品質しきい値より大きいとき、セル中央しきい値をより高い値に変更し、
データブロック再送の頻度、データブロックの平均再送回数またはデータブロックの送信遅延時間が、第二の品質しきい値より小さいとき、セル中央しきい値をより低い値に変更する
ことを特徴とする請求項１から請求項８のいずれかに記載のセルラシステムのキャリア割当方法。
【請求項１０】
少なくとも複数の基地局から構成される無線ネットワークと複数の移動局から構成されるセルラシステムであって、
移動局の各々を、その移動局が通信を行う基地局との間の伝搬損失と所定のセル中央しきい値とから、基地局の近傍に存在するセル中央移動局と基地局から離れた位置に存在するセル端移動局とに区分する手段と、
前記セル中央移動局とは第一のキャリアを用いて通信を行い、前記セル端移動局とは第二のキャリアを用いて通信を行う手段と、
前記第一のキャリアを用いた通信の品質を測定する手段と、
前記通信の品質を用いて前記セル中央しきい値を変更する手段と、
を有することを特徴とするセルラシステム。
【請求項１１】
少なくとも複数の基地局から構成される無線ネットワークと複数の移動局から構成されるセルラシステムであって、
前記複数の基地局は、パイロット信号を送信する手段を有し、
前記移動局は、１つまたは複数の前記基地局が送信する前記パイロット信号を受信する手段を有し、
前記無線ネットワークは、
前記パイロット信号の受信品質と所定のセル中央しきい値とから、前記移動局の各々を、基地局の近傍に存在するセル中央移動局と基地局から離れた位置に存在するセル端移動局とに区分する手段と、
前記セル中央移動局とは第一のキャリアを用いて通信を行い、前記セル端移動局とは第二のキャリアを用いて通信を行う手段と、
前記第一のキャリアを用いた通信の品質を測定する手段と、
前記通信の品質を用いて前記セル中央しきい値を変更する手段と
を有する
ことを特徴とするセルラシステム。
【請求項１２】
少なくとも複数の基地局から構成される無線ネットワークと複数の移動局から構成され、基地局の近傍に存在するセル中央移動局と基地局から離れた位置に存在するセル端移動局とで、通信に用いるキャリアを異ならせるセルラシステムであって、
前記セル中央移動局と前記セル端移動局とに区分する為に用いられるセル中央しきい値を、前記セル中央移動局の通信の品質を用いて変更する手段を有することを特徴とするセルラシステム。
【請求項１３】
少なくとも複数の基地局から構成される無線ネットワークと複数の移動局から構成されるセルラシステムにおける基地局であって、
パイロット信号を送信する手段と、
前記パイロット信号の受信品質とセル中央しきい値とからセル中央移動局と区分された移動局との通信の品質を測定する手段と、
前記通信の品質を用いて前記セル中央しきい値を変更する手段と
を有することを特徴とするセルラシステムの基地局。
【請求項１４】
少なくとも複数の基地局から構成される無線ネットワークと複数の移動局から構成されるセルラシステムにおける基地局であって、
パイロット信号を送信する手段と、
前記パイロット信号の受信品質とセル中央しきい値とからセル中央移動局と区分された移動局との通信の品質を測定する手段と、
前記通信の品質を基地局制御装置に通知する手段と
を有することを特徴とするセルラシステムの基地局。
【請求項１５】
少なくとも複数の基地局から構成される無線ネットワークと複数の移動局から構成されるセルラシステムにおける基地局であって、
パイロット信号を送信する手段と、
前記パイロット信号の受信品質とセル中央しきい値とからセル中央移動局と区分された移動局との通信の品質を測定する手段と、
前記通信の品質を他の基地局に通知する手段と、
他の基地局から通知された通信の品質を用いて前記セル中央しきい値を変更する手段と
を有することを特徴とするセルラシステムの基地局。
【請求項１６】
少なくとも複数の基地局から構成される無線ネットワークと複数の移動局から構成されるセルラシステムにおいて、基地局の近傍に存在するセル中央移動局と基地局から離れた位置に存在するセル端移動局とで、通信に用いるキャリアを異ならせるキャリア割当のプログラムであって、
前記セル中央移動局と前記セル端移動局とに区分する為に用いられるセル中央しきい値を、前記セル中央移動局の通信の品質を用いて変更する処理を情報処理装置に実行させることを特徴とするキャリア割当のプログラム。
【発明の詳細な説明】
【技術分野】
【０００１】
本発明はセルラシステムのキャリア割当の技術に関し、特に、セルの中央とセルの端において異なるキャリアを利用して無線ネットワークと移動局との間の通信を行うセルラシステムのキャリア割当の技術に関する。
【背景技術】
【０００２】
セルラシステムにおいては、少なくとも複数の基地局から構成される無線ネットワークと、各々の基地局が形成する１つまたは複数のセルに存在する多数の移動局との間で多量のユーザ情報の通信ができるようにするため、同一の周波数キャリア（以下、キャリアと記す）を複数のセルにおいて同時に利用している。【０００３】
このようなセルラシステムにおいて、同一のキャリアを、できるだけ多数のセルにおいて同時に利用できるようにするため、図１に示すように、各セルを基地局に近いエリア（以下、セル中央と記載する）と、基地局から離れたエリア（以下、セル端と記載する）とに分割し、セル中央では所定のキャリア（F）を全てのセルに配置して同時に利用し、セル端では、それ以外のキャリアを例えば３つのグループ（f1, f2, f3）に分けて、各グループのキャリアは、互いに隣接するセルでは同時に利用しないように３セル毎に１つのセルのみにおいて配置して利用する方法がある（例えば、特許文献１）。【０００４】
このようなキャリアの利用を実現するために、各基地局は、各セルにおいて所定の送信電力で共通パイロット信号を送信し、移動局では、その共通パイロット信号を複数の周辺の基地局から受信して、その受信電力を測定する。そして、その受信電力が最も高いセルを、その移動局が通信を行う自セルとし、２番目に共通パイロット信号が高いセルを隣接セルとして、自セルと隣接セルの共通パイロットの受信電力の比が、所定のしきい値（以下、セル中央しきい値と記す）以上の場合には、セル中央のキャリアを利用する。そして、その他の場合は、セル端のキャリアを利用する。このように共通パイロットの受信電力の比を用いる代わりに、自セルの共通パイロットの受信品質（例えば、共通パイロット信号の受信電力や、その受信電力と干渉波信号電力の比）が所定のしきい値以上である場合にセル中央のキャリアを利用する方法も考えられる。【０００５】
このようにキャリアを複数のセルで同時に利用するセルラシステムでは、できるだけ多くのキャリアをできるだけ多くのセルで高い利用率で利用できるようにすると、システム全体として周波数利用効率が高くなり、トラヒック収容能力が高くなる。【０００６】
【特許文献１】特開平６−３１１０８９号公報
【発明の開示】
【発明が解決しようとする課題】
【０００７】
しかし、セル中央の移動局の判定において、セル中央しきい値が高すぎると、セル中央の面積が狭くなり、セル中央の移動局が少なくなるために、多くのキャリアを多くのセルで同時に利用できず、システム全体の周波数利用効率が低くなるという課題があった。一方、セル中央しきい値が低すぎると、セル中央のキャリアが隣接セルにおいて利用されている同一のキャリアと干渉することにより、伝送効率が低下し、やはり周波数利用効率が低くなるという課題があった。【０００８】
また、セル中央しきい値の最適値は、セルの配置に依存し、セル毎に異なるため、各セルに最適値を予め設定することは困難であった。【０００９】
そこで、本発明は上記の課題に鑑みてなされたものであって、その目的は、上記の課題を解決し、最適なセル中央しきい値を設定し、キャリアの利用効率を高める技術を提供することにある。
【課題を解決するための手段】
【００１０】
上記課題を解決する本発明は、少なくとも複数の基地局から構成される無線ネットワークと複数の移動局から構成されるセルラシステムのキャリア割当方法であって、前記無線ネットワークが、移動局の各々を、その移動局が通信を行う基地局との間の伝搬損失と所定のセル中央しきい値とから、基地局の近傍に存在するセル中央移動局と基地局から離れた位置に存在するセル端移動局とに区分するステップと、前記無線ネットワークが、前記セル中央移動局とは第一のキャリアを用いて通信を行い、前記セル端移動局とは第二のキャリアを用いて通信を行うステップと、前記無線ネットワークが、前記第一のキャリアを用いた通信の品質を測定するステップと、前記無線ネットワークが、前記通信の品質を用いて前記セル中央しきい値を変更するステップとを有することを特徴とする。【００１１】
上記課題を解決する本発明は、少なくとも複数の基地局から構成される無線ネットワークと複数の移動局から構成されるセルラシステムのキャリア割当方法であって、前記複数の基地局が、パイロット信号を送信するステップと、前記移動局が、１つまたは複数の前記基地局が送信する前記パイロット信号を受信するステップと、前記無線ネットワークが、前記パイロット信号の受信品質と所定のセル中央しきい値とから、前記移動局の各々を、基地局の近傍に存在するセル中央移動局と基地局から離れた位置に存在するセル端移動局とに区分するステップと、前記無線ネットワークが、前記セル中央移動局とは第一のキャリアを用いて通信を行い、前記セル端移動局とは第二のキャリアを用いて通信を行うステップと、前記無線ネットワークが、前記第一のキャリアを用いた通信の品質を測定するステップと、前記無線ネットワークが、前記通信の品質を用いて前記セル中央しきい値を変更するステップと、を有することを特徴とする。【００１２】
上記課題を解決する本発明は、少なくとも複数の基地局から構成される無線ネットワークと複数の移動局から構成されるセルラシステムにおいて、基地局の近傍に存在するセル中央移動局と基地局から離れた位置に存在するセル端移動局とで、通信に用いるキャリアを異ならせるキャリア割当方法において、前記セル中央移動局と前記セル端移動局とに区分する為に用いられるセル中央しきい値を、前記セル中央移動局の通信の品質を用いて変更することを特徴とする。【００１３】
上記課題を解決する本発明は、少なくとも複数の基地局から構成される無線ネットワークと複数の移動局から構成されるセルラシステムであって、移動局の各々を、その移動局が通信を行う基地局との間の伝搬損失と所定のセル中央しきい値とから、基地局の近傍に存在するセル中央移動局と基地局から離れた位置に存在するセル端移動局とに区分する手段と、前記セル中央移動局とは第一のキャリアを用いて通信を行い、前記セル端移動局とは第二のキャリアを用いて通信を行う手段と、前記第一のキャリアを用いた通信の品質を測定する手段と、前記通信の品質を用いて前記セル中央しきい値を変更する手段とを有することを特徴とする。【００１４】
上記課題を解決する本発明は、少なくとも複数の基地局から構成される無線ネットワークと複数の移動局から構成されるセルラシステムであって、前記複数の基地局は、パイロット信号を送信する手段を有し、前記移動局は、１つまたは複数の前記基地局が送信する前記パイロット信号を受信する手段を有し、前記無線ネットワークは、前記パイロット信号の受信品質と所定のセル中央しきい値とから、前記移動局の各々を、基地局の近傍に存在するセル中央移動局と基地局から離れた位置に存在するセル端移動局とに区分する手段と、前記セル中央移動局とは第一のキャリアを用いて通信を行い、前記セル端移動局とは第二のキャリアを用いて通信を行う手段と、前記第一のキャリアを用いた通信の品質を測定する手段と、前記通信の品質を用いて前記セル中央しきい値を変更する手段とを有することを特徴とする。【００１５】
上記課題を解決する本発明は、少なくとも複数の基地局から構成される無線ネットワークと複数の移動局から構成され、基地局の近傍に存在するセル中央移動局と基地局から離れた位置に存在するセル端移動局とで、通信に用いるキャリアを異ならせるセルラシステムであって、前記セル中央移動局と前記セル端移動局とに区分する為に用いられるセル中央しきい値を、前記セル中央移動局の通信の品質を用いて変更する手段を有することを特徴とする。【００１６】
上記課題を解決する本発明は、少なくとも複数の基地局から構成される無線ネットワークと複数の移動局から構成されるセルラシステムにおける基地局であって、パイロット信号を送信する手段と、前記パイロット信号の受信品質とセル中央しきい値とからセル中央移動局と区分された移動局との通信の品質を測定する手段と、前記通信の品質を用いて前記セル中央しきい値を変更する手段とを有することを特徴とする。【００１７】
上記課題を解決する本発明は、少なくとも複数の基地局から構成される無線ネットワークと複数の移動局から構成されるセルラシステムにおける基地局であって、パイロット信号を送信する手段と、前記パイロット信号の受信品質とセル中央しきい値とからセル中央移動局と区分された移動局との通信の品質を測定する手段と、前記通信の品質を基地局制御装置に通知する手段とを有することを特徴とする。【００１８】
上記課題を解決する本発明は、少なくとも複数の基地局から構成される無線ネットワークと複数の移動局から構成されるセルラシステムにおける基地局であって、パイロット信号を送信する手段と、前記パイロット信号の受信品質とセル中央しきい値とからセル中央移動局と区分された移動局との通信の品質を測定する手段と、前記通信の品質を他の基地局に通知する手段と、他の基地局から通知された通信の品質を用いて前記セル中央しきい値を変更する手段とを有することを特徴とする。【００１９】
上記課題を解決する本発明は、少なくとも複数の基地局から構成される無線ネットワークと複数の移動局から構成されるセルラシステムにおいて、基地局の近傍に存在するセル中央移動局と基地局から離れた位置に存在するセル端移動局とで、通信に用いるキャリアを異ならせるキャリア割当のプログラムであって、前記セル中央移動局と前記セル端移動局とに区分する為に用いられるセル中央しきい値を、前記セル中央移動局の通信の品質を用いて変更する処理を情報処理装置に実行させることを特徴とする。
【発明の効果】
【００２０】
本発明は、セル中央における通信品質が良好な場合は、セル中央しきい値を下げることで、セル中央の移動局が増えて、多くのセルで同時に利用できるキャリアが増加し、多量のデータ送信が可能となる。一方、セル中央における通信品質が良好でない場合は、セル中央しきい値を上げることで、セル中央の移動局は、より基地局に近い移動局に限られるため、セル中央における通信品質が改善され、効率のよいデータ送信が可能となる。従って、本発明では、周波数利用効率を高めることができる。
【図面の簡単な説明】
【００２１】
【図１】図１は従来技術におけるセルに対するキャリア配置の一例である。
【図２】図２は本発明の実施の形態におけるセルラシステムの構成図である。
【図３】図３は第１の実施の形態における基地局１，２のブロック図である。
【図４】図４は第１実施の形態における基地局制御局５のブロック図である。
【図５】図５は第１の実施の形態における移動局６，７のブロック図である。
【図６】図６は第１の実施の形態におけるセル中央しきい値更新方法を示すフロー図である。
【図７】図７は第２実施の形態における基地局制御局５のブロック図である。
【図８】図８は第２実施の形態におけるセル中央しきい値更新方法を示すフロー図である。
【図９】図９は第３の実施の形態におけるセルラシステムの構成図である。
【図１０】図１０は第３の実施の形態における基地局１，２のブロック図である。
【図１１】図１１は第３の実施の形態におけるセル中央しきい値更新方法を示すフロー図である。
【符号の説明】
【００２２】
１、２  基地局
３、４  セル
５  基地局制御装置
６、７  移動局
８  ゲートウェー装置
【発明を実施するための最良の形態】
【００２３】
＜第１の実施の形態＞
本発明の第１の実施の形態を説明する。【００２４】
図２は、第１の実施の形態のセルラシステムの構成図であり、このセルラシステムは、無線ネットワーク及び移動局６〜７から構成される。このうち無線ネットワークは、基地局１〜２、各基地局がカバーするセル３〜４、及び基地局に接続された基地局制御装置５（ＢＳＣ：Base Station Controller）から構成される。このセルラシステムは、この他に多数の基地局と移動局とを含むが、図示は省略する。【００２５】
このセルラシステムには、基地局と移動局との間で、通信を行うために複数のキャリアが利用できるようになっている。各々のキャリアは、上り回線用のキャリアと下り回線用のキャリアとが各々存在し、上り回線と下り回線とは、周波数分割複信（Ｆｒｅｑｕｅｎｃｙ  Ｄｉｖｉｓｉｏｎ  Ｄｕｐｌｅｘ）方式で互いに異なるキャリアを用いる。変調方式としてはOFDM方式を用いる。また、１つのキャリアが占有する周波数帯域は、全てのキャリアで共通の値（例えば５MHｚ）となっている。【００２６】
各キャリアは、送信時間単位に区切られ、基地局と移動局とで通信を行うときには、その移動局に使用するキャリアを選択し、送信時間単位で送信時間を割り当てて、その送信時間にデータブロックの送信を行う。送信時間単位では、１つのデータブロックを送信できる。【００２７】
各データブロックには、誤り検出符号が付加されており、それによって受信側では、データブロックの受信誤りの有無を判定し、誤りがある場合には、送信側にＮＡＣＫ信号を送信すると共に受信したデータブロックを保持し、誤りがない場合にはＡＣＫ信号を送信する。そして、送信側は、ＮＡＣＫ信号を受信した場合には、同じデータブロックを再送し、受信側では、再送されたデータブロックと保持しておいたデータブロックを合成して、そのデータブロックを受信する。これにより、より少ない再送回数で各データブロックを正しく受信できるようになっている。【００２８】
ここで、データブロックの受信誤りの発生確率、即ちデータブロックの再送の頻度が高ければ、データブロックの平均再送回数が増えて、データブロックの送信遅延時間も増える。これらは、全て通信の品質の指標であり、セル中央しきい値の更新には、これらの通信の品質の指標の一つを用いる。【００２９】
無線ネットワークは、各移動局が通信を行う基地局との間の伝搬損失とセル中央しきい値とから、各移動局が、基地局の近傍に存在する移動局（以下、セル中央移動局と記載する）であるのか、基地局から離れた位置に移動局（以下、セル端移動局と記載する）であるのかを判定する。ここでは、基地局が一定の電力で送信するパイロット信号の移動局における受信電力によって、伝搬損失を判断する。【００３０】
次に、第１の実施の形態の各部の構成及び動作を、図２に示すセルラシステムの構成図と、図３から図５に示す各部のブロック図と、図６のフロー図を用いて説明する。第１の実施の形態では、基地局１、２の各々がセル中央しきい値を更新する例についてである。【００３１】
図３に示す如く、基地局１、２は、各々一定の電力でパイロット信号（図示せず）を送信するパイロット信号送信部１００と、移動局６，７からの測定受信電力を受信して基地局制御装置５に通知する測定受信電力送受信部１０１と、移動局６，７との通信品質（例えば、ブロック誤り率）を測定する通信品質測定部１０２と、通信品質測定部１０２の測定結果に基づいてセル中央しきい値を更新して基地局制御装置５に通知するセル中央しきい値更新部１０３と、基地局制御装置５からの通知に基づいて移動局６，７との通信の為のキャリアを選択するキャリア選択部１０４とを備える。【００３２】
また、図４に示す如く、基地局制御装置５は、基地局１、２から通知される移動局６，７の測定受信電力を受信する測定電力受信部２００と、移動局６，７の測定受信電力に基づいてセル中央移動局又はセル端移動局の判定を行う移動局判定部２０１とを備える。【００３３】
更に、図５に示す如く、移動局６，７は、パイロット信号受信部３００と、受信したパイロット信号の受信電力を測定して測定受信電力を基地局１、２に通知する受信電力測定部３０１と、基地局１、２との通信の為のキャリアを選択するキャリア選択部３０２とを備える。【００３４】
このような構成において、各部は以下のように動作する。【００３５】
まず、基地局１のパイロット信号送信部１００は、各々一定の電力でパイロット信号を送信している。【００３６】
移動局６，７のパイロット信号受信部３００は、基地局１からパイロット信号を受信し、受信電力測定部３０１はその受信電力Ｐ１，Ｐ２を測定する。そして、基地局１の測定受信電力送受信部１０１を介して、その結果を基地局制御装置５に通知する。【００３７】
基地局制御装置５の測定電力受信部２００は、移動局６，７の受信電力Ｐ１，Ｐ２を受信する。基地局制御装置５の移動局判定部２０１は、移動局６，７の受信電力Ｐ１，Ｐ２の中で移動局６の受信電力Ｐ１が最大であれば、通信を行う基地局として基地局１を選択する。さらにその次に受信電力が大きい移動局７の受信電力Ｐ２を選択し、両者の比Ｐ１／Ｐ２をセル中央しきい値Ｔと比較する。そして、Ｐ１／Ｐ２＞＝Ｔであれば、移動局はセル中央に存在すると判定する。一方、Ｐ１／Ｐ２＜Ｔであれば、移動局はセル端に存在すると判定する。図２の例では、移動局６はセル中央に存在し、移動局７はセル端に各々存在すると判定される。【００３８】
第１の実施の形態では、上り回線と下り回線との各々において、複数のキャリアが、キャリアグループＦと、キャリアグループｆ１、ｆ２、ｆ３とに分けられており、キャリアグループＦは、全てのセル３，４のセル中央に存在する移動局との通信に利用可能であり、キャリアグループｆ１は、セル３のセル端に存在する移動局との通信、キャリアグループｆ２は、セル４のセル端に存在する移動局との通信に各々利用可能となっている。また、キャリアグループｆ３は、図示されていないセルで利用可能となっている。【００３９】
そこで、基地局１のキャリア選択部１０４と移動局６，７のキャリア選択部３０２は、移動局６はセル中央に存在しているので、基地局１と移動局６との間で通信を行うときにはキャリアグループＦのキャリアを選択して使用する。また、移動局７はセル端に存在しているので、基地局１と移動局７との間で通信を行うときにはキャリアグループｆ１のキャリアを選択して使用する。【００４０】
次に、基地局１の通信品質測定部１０２及びセル中央しきい値更新部１０３によるセル中央しきい値Ｔの更新の動作を説明する。【００４１】
セル中央しきい値Ｔは、セル毎に１つの値をもつ。図６は、セル中央しきい値Ｔの更新方法を示すフロー図である。【００４２】
まず、セル中央しきい値更新部１０３は、平均ブロック誤り率BLER_Aveを初期化する（ステップS1）。【００４３】
次に、通信品質測定部１０２は、セル中央に存在する全ての移動局（図２では移動局６）の通信を対象として、一定の数Nのブロックを正しく受信する毎に、ブロック誤り率（BLER）を計算する（ステップS2）。ここでブロック誤り率は、受信側でデータブロックを受信誤りが無と判定して受信したブロック数をN、その中で初回の送信で受信誤りを有と判定したブロックの数をMとして、M/Nにより計算する。そして、そのブロック誤り率BLERを用いて、平均ブロック誤り率BLER_Aveを更新する（ステップS3）。この更新は、重み係数w（例えばw = 0.9）を用いて、
BLER_Ave = w × BLER_Ave + (1-w) × BLER
という式により行う。【００４４】
そして、セル中央しきい値更新部１０３は、BLER_Aveがブロック誤り率の上限しきい値BLER_Highよりも大きい場合には、セル中央しきい値Tを、一定値ΔTだけ増加させる（ステップS4、S5）。一方、BLER_Aveがブロック誤り率の下限しきい値BLER_Lowよりも小さい場合には、セル中央しきい値Tを一定値ΔTだけ減少させる（ステップS6、S7）。【００４５】
ここで、ステップS2においてブロック誤り率を計算する契機は、上記に限られるものではなく、一定時間経過することや、対象セルにおいて一定量以上の通信を行った対象移動局の数が一定数に達することであってもよい。
＜第２の実施の形態＞
第２の実施の形態を説明する。【００４６】
第１の実施の形態では、基地局１、２がセル中央しきい値Ｔの更新を行う例を説明したが、第２の実施の形態では、基地局制御装置５がセル中央しきい値Tの更新を行う例を説明する。これに伴い、図７に示す如く、第１の実施の形態で説明した基地局１、２のセル中央しきい値更新部１０３と同様なセル中央しきい値更新部２０２が、基地局制御装置５に設けられている。【００４７】
尚、以下の説明において、セル中央移動局又はセル端移動局の判定、及び通信に用いるキャリアの選択は、基地局制御装置５が行う。セル中央移動局又はセル端移動局の判定方法、各セルで利用可能なキャリア、移動局に割り当てるキャリアの選択方法は、第１の実施の形態と同じである。尚、上述した第１の実施の形態と同様な部分は説明を省略する。【００４８】
次に、基地局１の通信品質測定部１０２及び基地局制御装置５のセル中央しきい値更新部２０２によるセル中央しきい値Ｔの更新の動作を説明する。【００４９】
第２の実施の形態では、セル中央しきい値Tは、セル毎に１つの値をもつ。図８は、そのセル中央しきい値の更新方法を示すフロー図である。【００５０】
まず、基地局制御装置５のセル中央しきい値更新部２０２は、平均ブロック誤り率BLER_Aveを初期化する（ステップS1）。基地局１，２の通信品質測定部１０２は、セル中央に存在する全ての移動局（図２では移動局６）の通信を対象として、第１の実施の形態と同様にブロック誤り率（BLER）を計算して基地局制御装置５に通知し、基地局制御装置５のセル中央しきい値更新部２０２では、その通知を受信する（ステップS8）。そして、ステップS3〜S7では、第１の実施の形態と同様にセル中央しきい値を更新する。
＜第３の実施の形態＞
第３の実施の形態を説明する。【００５１】
第３の実施の形態では、図９のセルラシステム構成図に示すように、第１の実施の形態の基地局制御装置５の代わりに、基地局１，２は、ゲートウェー装置８に接続されており、基地局間で制御情報の交換ができるようになっている。そして、第１の実施の形態では、基地局１、２が各々の基地局において測定したブロック誤り率を用いてセル中央しきい値Ｔの更新を行っていたが、第３の実施の形態では、基地局間でブロック誤り率の情報を交換し、その情報を用いてセル中央しきい値Tの更新を行う。更に、図１０に示す如く、基地局制御装置５の代わりに、セル中央移動局又はセル端移動局の判定を行うため、移動局判定部２０１と同様な移動局判定部１１０を備える。【００５２】
各セルで利用可能なキャリアと、移動局に割り当てるキャリアの選択は、第１の実施の形態と同様である。また、第１の実施の形態と同様な部分は説明を省略する。なお、本実施の形態におけるセルラシステムの無線ネットワークは、基地局と基地局がカバーするセルとから構成されることになる。【００５３】
図９において、基地局１，２のパイロット信号送信部１００は、各々一定の電力でパイロット信号を送信している。【００５４】
移動局６，７のパイロット信号受信部３００は、基地局１からパイロット信号を受信し、受信電力測定部３０１はその受信電力Ｐ１，Ｐ２を測定する。そして、その結果を基地局１に通知する。基地局１の移動局判定部１１０は、その中でＰ１が最大であれば、通信を行う基地局として基地局１を選択し、さらにその次に受信電力が大きいＰ２を選択し、両者の比Ｐ１／Ｐ２をセル中央しきい値Ｔと比較する。そして、Ｐ１／Ｐ２＞＝Ｔであれば、移動局はセル中央に存在すると判定する。一方、Ｐ１／Ｐ２＜Ｔであれば、移動局はセル端に存在すると判定する。図９の例では、移動局６はセル中央、移動局７はセル端に各々存在すると判定される。【００５５】
次に、基地局１の通信品質測定部１０２及びセル中央しきい値更新部１０３によるセル中央しきい値Ｔの更新の動作を説明する。【００５６】
第３の実施の形態では、セル中央しきい値Tは、セル毎に１つの値をもつ。図１１は、そのセル中央しきい値の更新方法を示すフロー図である。【００５７】
まず、基地局１のセル中央しきい値更新部１０３は、平均ブロック誤り率BLER_Aveを初期化する（ステップS1）。基地局の通信品質測定部１０２は、セル中央に存在する全ての移動局（図２では移動局６）の通信を対象として、実施例１と同様にブロック誤り率（BLER）を計算して別の基地局（例えば、基地局２）に通知する。従って、基地局２は、別の基地局（例えば、基地局１）からBLERの通知を受信する（ステップS9）。そして、ステップS3〜S7では、実施例１と同様にセル中央しきい値を更新する。
＜第４の実施の形態＞
第４の実施の形態を説明する。【００５８】
第４の実施の形態では、移動局のセル中央移動局又はセル端セル中央移動局の判定は第３の実施例と同じであるが、各セルで利用可能なキャリアの配置が第３の実施の形態と異なる。【００５９】
第４の実施の形態では、上り回線と下り回線との各々において、複数のキャリアが、セル中央に存在する移動局との通信に利用可能なキャリアグループ１と、セル端に存在する移動局との通信に利用可能なキャリアグループ２とに分けられている。そして、キャリアグループ１では、OFDM方式をそのまま用いるが、キャリアグループ２では、OFDM方式において、さらに符号多重を行うことによって、同一キャリアで同一セル内だけでなく、隣接セルとも同時に複数の移動局が基地局と通信できるようになっている。【００６０】
そして、基地局１とセル中央に存在する移動局６との間で通信を行うときには、キャリアグループ１のキャリアを選択して使用する。また、基地局１とセル端に存在する移動局７との間で通信を行うときには、キャリアグループ２のキャリアを選択して使用する。キャリアグループ２を用いるときには、基地局は、符号多重を行うための符号も選択して割り当てることになる。【００６１】
第４の実施の形態は、セル中央しきい値の更新方法を含めて、その他の部分は、第３の実施の形態と同じである。【００６２】
以上、第１から第４の実施の形態について説明したが、本発明は、以上の実施の形態に限られるものではなく、セル中央に存在する移動局とセル端に存在する移動局とを判定するためには、基地局と移動局の伝搬損失に関わる如何なる指標を用いても同様に実施することができる。例えば、移動局の基地局における受信信号電力が一定になるように、移動局において上り回線の送信電力制御を行っている場合には、その指標として、上り回線送信電力の逆数を用いても、本発明は同様に実施できる。【００６３】
また、第４の実施の形態において、符号多重を用いる方法が第３の実施の形態との差異であるとして説明したが、符号多重は、第１の実施の形態や第２の実施の形態においても同様に適用することができる。【００６４】
また、通信の品質の指標としては、ブロック誤り率を用いた例について説明したが、代わりにデータブロックの再送の頻度、データブロックの平均再送回数、データブロックの送信遅延時間の何れを用いても、本発明は全く同様に実施できる。【００６５】
更に、第１から第４の実施の形態におけるセル中央しきい値更新部等を、プログラムで動作する情報処理装置で構成することも可能である。【００６６】
本出願は、２００６年９月２０日に出願された日本出願特願２００６−２５４０４５号を基礎とする優先権を主張し、その開示の全てをここに取り込む。
【図１】
2008035661.tif 000003
【図２】
2008035661.tif 000004
【図３】
2008035661.tif 000005
【図４】
2008035661.tif 000006
【図５】
2008035661.tif 000007
【図６】
2008035661.tif 000008
【図７】
2008035661.tif 000009
【図８】
2008035661.tif 000010
【図９】
2008035661.tif 000011
【図１０】
2008035661.tif 000012
【図１１】
2008035661.tif 000013
【国際調査報告】
2008035661.tif 000014
2008035661.tif 000015